(57)【要約】【課題】本発明の課題は、画像の記録と消去とを繰り返し行っても、基材とカバーシートとの間にゴミやほこりが付着することがなく、画像の記録性や画像の記録安定性が低下することがない筆記シートを提供することである。【解決手段】基材の第一密着面と透明カバーシートの第二密着面とを対向させ、第一密着面と前記第二密着面との間に消去体を移動可能に配置し、少なくとも第一密着面と第二密着面との間を直接または他の部材を介して閉塞した閉塞部を有するように構成する。【選択図】図１
2020104350.tif 000002
【特許請求の範囲】
【請求項１】
基材と、透明カバーシートとを有してなり、かつ前記基材に設けられた第一密着面と前記透明カバーシートに設けられた第二密着面とが対向するように配置され、前記透明カバーシートの表面に圧力を加えることにより前記第一密着面と前記第二密着面とが密着し、前記密着した部分を画像として外部から視認可能となる筆記面を具備した筆記シートであって、前記第一密着面と前記第二密着面との間に、前記密着した第一密着面と第二密着面とを引き剥がす消去体を移動可能に配置すると共に、少なくとも前記第一密着面と前記第二密着面との間を直接または他の部材を介して閉塞した閉塞部を有することを特徴とする、筆記シート。
【請求項２】
前記消去体が、磁性材料で形成され、外部からの磁力により移動することを特徴とする、請求項１に記載の筆記シート。
【請求項３】
前記第一密着面および／または前記第二密着面が粘着性を有することを特徴とする、請求項１または２に記載の筆記シート。
【請求項４】
前記第一密着面および／または前記第二密着面をマット状に形成してなることを特徴とする、請求項１または２に記載の筆記シート。
【請求項５】
前記マット状に形成された前記第一密着面および／または前記第二密着面の算術平均高さＳａが０．１０〜０．５０μｍであることを特徴とする、請求項１ないし４のいずれか１項に記載の筆記シート。
【発明の詳細な説明】
【技術分野】
【０００１】
本発明は、加圧された部分の色濃度が変化して画像が記録でき、さらにその画像を容易に消去して復元できる、繰り返し筆記および消去が可能な筆記シートに関するものである。
【背景技術】
【０００２】
従来から、粘着性表面を有する基材と、その上に設けられた透明なカバーシートとから構成され、カバーシートの上から加圧することで、加圧された部分の基材とカバーシートとが密着し、密着部分に画像が記録できる筆記シートが知られている。また、非粘着性の基材と、その上に設けられた粘着性表面を有する透明なカバーシートとから構成される筆記シートも知られている。このような筆記シートは、基材とカバーシートとを引き剥がすことによって画像を消去し、初期状態に復元することができる。したがって、画像の記録と消去とを繰り返し行うことができる。
【０００３】
このような筆記シートは、記録シート、店舗等のディスプレイ、知育玩具、教育材料などに応用が可能であり、種々の製品が研究および開発されている。たとえば、特許文献１〜２には、繰り返し記載可能なシートや教習遊具が開示されている。
【０００４】
また、筆記シートに記録した画像の消去操作を短時間に行えるものとして、特許文献３には、基材とカバーシートとの間に摺動部材を摺動自在に介在させたメモ器が開示されている。
【先行技術文献】
【特許文献】
【０００５】
【特許文献１】特開２０１０−０４２６１８号公報
【特許文献２】特開２００１−１４２３８７号公報
【特許文献３】実開昭４９−８５２２８号公報
【発明の概要】
【発明が解決しようとする課題】
【０００６】
しかしながら、本発明者らの検討によれば、これらの筆記シートは、画像の記録と消去とを繰り返すうちに、基材とカバーシートとの間にゴミやほこりが付着することがあり、これにより、カバーシートの上部から所望の部分を加圧しても、その部分の直下の基材とカバーシートとがゴミやほこりに阻害されて密着せず、画像の記録性が低下するなどの問題や、基材とカバーシートとの密着力がゴミやほこりにより低下して、画像の記録安定性が低下するなどの問題が起こることがあり、さらなる改良が必要であった。
【課題を解決するための手段】
【０００７】
本発明は、
「１．基材と、透明カバーシートとを有してなり、かつ前記基材に設けられた第一密着面と前記透明カバーシートに設けられた第二密着面とが対向するように配置され、前記透明カバーシートの表面に圧力を加えることにより前記第一密着面と前記第二密着面とが密着し、前記密着した部分を画像として外部から視認可能となる筆記面を具備した筆記シートであって、前記第一密着面と前記第二密着面との間に、前記密着した第一密着面と第二密着面とを引き剥がす消去体を移動可能に配置すると共に、少なくとも前記第一密着面と前記第二密着面との間を直接または他の部材を介して閉塞した閉塞部を有することを特徴とする、筆記シート。
２．前記消去体が、磁性材料で形成され、外部からの磁力により移動することを特徴とする、前記１項に記載の筆記シート。
３．前記第一密着面および／または前記第二密着面が粘着性を有することを特徴とする、前記１または２項に記載の筆記シート。
４．前記第一密着面および／または前記第二密着面をマット状に形成してなることを特徴とする、前記１項または２項に記載の筆記シート。
５．前記マット状に形成された前記第一密着面および／または前記第二密着面の算術平均高さＳａが０．１０〜０．５０μｍであることを特徴とする、前記１項ないし４項のいずれか１項に記載の筆記シート。」である。
【０００８】
本発明によれば、画像の記録と消去とを繰り返し行っても、基材とカバーシートとの間にゴミやほこりが付着することがなく、画像の記録性や画像の記録安定性に優れた筆記シートを提供することができる。
【０００９】
［筆記シート］
本発明による、ひとつの実施態様による筆記シートの概念断面図は図１に示すとおりである。この筆記シート１００は、基材１１０とカバーシート１２０とを具備してなり、基材１１０に設けられた第一密着面（図１における粘着層１１３の表面）とカバーシート１２０に設けられた第二密着面（図１におけるマット面１２１）は、面が対向するように配置される。
また、基材１１０に設けられた第一密着面とカバーシート１２０に設けられた第二密着面との間に、消去体１３０が移動可能に配置される。
さらに、基材１１０の第一密着面の外周部とカバーシート１２０の第二密着面の外周部とが結合されることにより、閉塞部１５０が筆記シート１００内に形成される。
【００１０】
この筆記シート１００は、画像を記録する前の初期状態では、基材１１０とカバーシート１２０とが密着しておらず、それらの界面に空気層が存在する。
【００１１】
画像を記録する場合には、図２に示すように、筆記先端１６０などを用いてカバーシート１２０の上部から筆記面１２４の所望の部分に加圧する。加圧された部分の直下で基材１１０とカバーシート１２０とが密着した結果、基材１１０とカバーシート１２０との界面に存在していた空気層が実質的になくなり、界面の屈折率が変化する。
【００１２】
この結果、未加圧部分の界面と、加圧部分の界面とで屈折率が変わり、コントラストが生じて、画像が記録される。一般的には、加圧された部分では基材１１０の色彩がカバーシート上部から認識できるようになる。加圧する方法は任意であり、樹脂材料などからなるペンで文字状に加圧する方法や、スタンプのようなレリーフを押しつけて模様を転写する方法などがある。
【００１３】
そして、図３に示すように、消去体１３０を移動させて、基材１１０からカバーシート１２０を引き剥がすことによって、基材１１０とカバーシート１２０との界面に再び空気層が生じて、画像が消去される。
【００１４】
このように、本発明による筆記シートは、画像の記録と消去とを繰り返し行うことができるものである。
【００１５】
本発明による筆記シートは、その内部に、少なくとも第一密着面と第二密着面との間を直接または他の部材を介して閉塞した閉塞部を有していることにより、画像の記録時や、画像の消去時や、筆記シートを使用せずに放置した際などにおいて、基材とカバーシートとの間にゴミやほこりが付着することがない。
【００１６】
筆記シートの内部に、少なくとも第一密着面と第二密着面との間を直接または他の部材を介して閉塞した閉塞部を形成する方法は、特に限定されるものではなく、第一密着面と第二密着面とを直接結合してもよいし、他の部材を介して結合してもよい。
閉塞部を形成する方法を以下に例示するが、本発明に用いられる閉塞部形成方法はこれらに限定されるものではない。また、複数の方法を組み合わせて用いることもできる。
【００１７】
具体例の一つとして、基材に設けられた第一密着面とカバーシートに設けられた第二密着面との間に消去体を移動可能に配置し、基材の外周部とカバーシートの外周部とを結合させることにより、閉塞部を形成する方法を挙げることができる。
この方法は、筆記シートを構成する部材の点数が少なく、構造がシンプルで、経済性に優れるので、好ましい。
【００１８】
具体例の一つとして、基材に設けられた第一密着面とカバーシートに設けられた第二密着面との間に消去体を移動可能に配置し、カバーシートの上面（第二密着面と反対側の面）に、基材およびカバーシートよりも大きい外形を有しかつその中央に開口部を有する上側シートの下面を結合させ、開口部からカバーシートの上面を露出させて筆記面とし、基材の下面（第一密着面と反対側の面）に、上側シートと略同外形状の下側シートの上面を結合させ、下側シートの上面外周部と上側シートの下面外周部とを結合することにより、閉塞部を形成する方法を挙げることができる。
上側シートおよび下側シートの材質は、特に限定されるものではなく、樹脂、金属、ガラス、セラミックなど、様々な材質を選択することができる。
この方法は、上側シートの上面および／または下側シートの下面に特定の図柄や模様を形成することにより、意匠性に優れた筆記シートとなるので、好ましい。
また、各部材の結合方法に、アクリル系樹脂、エチレン酢酸ビニル系樹脂、ウレタン系樹脂、シリコーン系樹脂などの再剥離可能な弱粘着性粘着剤を用いた粘着や、突状の嵌合雄部および当該嵌合雄部に着脱可能に嵌合する嵌合雌部とからなる一対の嵌合具などを用いた嵌合などを用いることにより、当初の上側シートおよび／または下側シートを、使用者自身が好みの図柄や模様、形、素材などを有する上側シートおよび／または下側シートに交換することができるので、好ましい。
【００１９】
具体例の一つとして、基材に設けられた第一密着面とカバーシートに設けられた第二密着面との間に消去体を移動可能に配置し、これら基材とカバーシートと消去体とを、袋状体の内部に入れ、袋状体の口部を閉じることにより、閉塞部を形成する方法を挙げることができる。
この方法では、筆記シートに画像を記録する場合には、袋状体の上面（カバーシートの上部にあたる部分）が筆記面となり、筆記先端などを用いて、筆記シートの筆記面の所望の部分に加圧する。したがって、袋状体の少なくとも筆記面となる部分は、柔軟性を有すると共に、その厚さは、高い透明性を達成し、かつ画像記録の際の圧力をカバーシートと粘着層との界面に伝達するためには薄いことが好ましく、物理的強度を高くするためには厚いことが好ましい。このような観点から、袋状体の少なくとも筆記面となる部分の一例として、厚さが３８〜１００μｍのポリエステル製フィルムやポリエチレン製フィルムなどを挙げることができる。
また、この方法は、袋状体の上面および／または下面に特定の図柄や模様を形成することにより、意匠性に優れた筆記シートとなるので、好ましい。
さらに、袋状体の口部の開閉方法に、アクリル系樹脂、エチレン酢酸ビニル系樹脂、ウレタン系樹脂、シリコーン系樹脂などの再剥離可能な弱粘着性粘着剤を用いた粘着や、突状の嵌合雄部および当該嵌合雄部に着脱可能に嵌合する嵌合雌部とからなる一対の嵌合具などを用いた嵌合などを用いることにより、当初の袋状体を、使用者自身が好みの図柄や模様、形、素材などを有する袋状体に交換することができるので好ましく、また、筆記面の表面が、筆記先端などを用いた画像の記録の際に、筆記先端との間で発生する摩擦力により損傷して、筆記シートに記録される画像のコントラストが低下した場合であっても、使用者自身が新しい袋状体に交換することができるので、耐久性に優れた筆記シートとなり好ましい。
【００２０】
また、第一密着面と第二密着面との間を直接または他の部材によって閉塞した閉塞部を、密閉空間とすることが好ましい。
閉塞部を密閉空間とすることにより、画像の記録時や、画像の消去時や、筆記シートを使用せずに放置した際などにおいて、基材とカバーシートとの間に、大きなゴミやほこりだけでなく、微細なゴミやほこりも付着することがないので、より画像の記録性や画像の記録安定性に優れた筆記シートとなる。
また、閉塞部を密閉空間とすることにより、筆記シートを水中に浸漬した場合においても、基材とカバーシートとの間に水が入ることがないので、後述するように、大気中のみならず水中でも使用可能な筆記シートとなる。
【００２１】
前記の結合方法も、特に限定されるものではなく、たとえば、接着剤による接着や、粘着剤による粘着や、粘着性を有する部材同士の密着や、熱や超音波やレーザーなどによる溶着や、部材同士の嵌合などを、適宜選択することができる。また、前記の結合方法を複数組み合わせてもよい。
中でも、熱や超音波やレーザーなどによる溶着は、接着剤などの消耗品が不要であり、部材同士が強固に結合し、分離しにくいため、より好ましい。
【００２２】
［消去体］
本発明の消去体は、基材に設けられた第一密着面とカバーシートに設けられた第二密着面との間に、密着した第一密着面と第二密着面とを引き剥がすように移動可能に配置される。
消去体の数は、単数であってもよく、複数であってもよい。
消去体の材質は、特に限定されるものではなく、樹脂、金属、磁石、ガラス、セラミックなど、様々な材質を選択することができる。具体的には、ＡＢＳ樹脂、ＡＳ樹脂、ポリアミド樹脂、ポリカーボネート樹脂、ポリエチレン樹脂、ポリエチレンテレフタレート樹脂、アクリル樹脂、ポリアセタール樹脂、ポリプロピレン樹脂、ポリスチレン樹脂、シリコーン樹脂、フッ素樹脂などの樹脂や、鉄、コバルト、ニッケル、アルミニウム、ステンレスなどの金属や、フェライト磁石、ネオジム磁石、サマリウムコバルト磁石などの磁石や、ガラス、セラミックなどを挙げることができる。また、前記の材質を複数組み合わせて形成してもよい。
中でも、シリコーン樹脂やフッ素樹脂は、潤滑性に優れるため、シリコーン樹脂やフッ素樹脂で消去体を形成することや、鉄などの表面をシリコーン樹脂やフッ素樹脂で被覆して消去体を形成することにより、第一密着面と第二密着面との間における消去体の移動が滑らかになり、消去体の動作が軽く画像の消去がスムーズな筆記シートとなるので、好ましい。
【００２３】
消去体を移動させる方法としては、特に限定されるものではなく、たとえば、
（１）筆記シート全体を手で把持し、基材とカバーシートとを水平状態から傾けることで、重力により、第一密着面と第二密着面との間で消去体を移動させる方法、
（２）筆記シート全体を手で把持し、略水平方向に振ることで、慣性により、第一密着面と第二密着面との間で消去体を移動させる方法、
（３）消去体の少なくとも一部を、磁性材料や電磁石などで形成すると共に、筆記シートの外部で、磁性材料や電磁石などを移動させることで、磁力により、第一密着面と第二密着面との間で消去体を移動させる方法、
（４）消去体を、電池などの電源と、外部からの無線信号や赤外信号などを受信する制御回路と、制御回路により制御される回転モータなどの駆動装置と、駆動装置により回転駆動される車輪などで構成し、リモートコントローラからの無線信号や赤外信号により、第一密着面と第二密着面との間で消去体を移動させる方法、
などを、適宜選択することができる。また、前記の方法を複数組み合わせてもよい。
【００２４】
消去体を移動させる方法のうち、消去体の少なくとも一部を磁性材料で形成すると共に、外部からの磁力により、第一密着面と第二密着面との間で消去体を移動させる方法は、筆記シートの筆記面に記録した画像のうち、消去体で任意の部分のみを消去すること、すなわち「部分消去」が可能となるため、好ましい。
従来の筆記シート（たとえば、特許文献３）では、筆記面全体に画像を記録し、その後に筆記面中央の画像のみを消去したい時には、長方形の筆記シートの短辺側端部（基材とカバーシートとの間の端部）に位置させていた、筆記シートの短辺と略同長の長板状の消去体を筆記シートの中央部まで移動させる必要があり、画像部分で密着していた基材とカバーシートとが、消去体の最初の位置から移動後の位置まで、筆記シートの短辺幅全てにわたって引き剥がされるため、筆記面に記録された画像の略半分が消去されてしまい、消去体で任意の部分のみを消去することはできなかった。
一方、本発明の筆記シートは、たとえば、消去体を円盤状の鉄板で形成し、基材に設けられた第一密着面とカバーシートに設けられた第二密着面との間に消去体を移動可能に配置し、第一密着面と第二密着面との間を閉塞した構成の場合、筆記面全体に画像を記録し、その後に筆記面中央の画像のみを消去したい時には、磁石を手で把持して筆記面の中央に位置させて、長方形の筆記シートの短辺側端部（基材とカバーシートとの間の端部）に位置させていた消去体を、外部からの磁力により筆記シートの中央部（前記閉塞部の中央部）に引き寄せることにより消去を行うが、消去体の直径を筆記シートの短辺よりも短く形成することにより、第一密着面と第二密着面とは、消去体の最初の位置から最後の位置までの経路部分でのみ引き剥がされて画像が消去されると共に、当該経路部分以外の第一密着面と第二密着面との密着状体は維持されて、画像が記録されたままとなるので、画像の「部分消去」が可能となる。
【００２５】
また、消去体を外部からの磁力により移動させる方法は、筆記シートの筆記面の全面を加圧した後に、消去体で任意の画像を記録すること、すなわち「反転記録」が可能となるため、好ましい。
具体的には、まずは筆記先端や指などを用いてカバーシートの上部から筆記面の全面を加圧して、第一密着面と第二密着面とを全面的に密着させる。
その後、磁石を手で把持して、筆記面上で所望の文字や絵を描くように動かすことにより、磁力によって引き寄せられた消去体が移動し、全面的に密着した第一密着面と第二密着面とを、文字や絵を描くように引き剥がすので、密着部分の界面と引き剥がされた部分の界面とで屈折率が変わり、コントラストが生じて、文字や絵が記録される。
たとえば、筆記面の色が、加圧していない状態では乳白色で、加圧した状態では青色の筆記シートの場合には、筆記先端を用いて、乳白色の筆記面に青色の画像を記録するだけでなく、筆記先端などを用いて一旦筆記面全面を加圧して青色とした後に、消去体を用いて、青色の筆記面に乳白色の画像を「反転記録」することが可能となる。
【００２６】
消去体の形状は、基材に設けられた第一密着面とカバーシートに設けられた第二密着面との間に、密着した第一密着面と第二密着面とを引き剥がすように移動可能であれば、特に限定されるものではなく、たとえば、平板状、碁石状、球状、棒状、柱状などを、適宜選択することができる。また、前記の形状を複数組み合わせてもよい。
【００２７】
本発明の消去体は、筆記シートに記録された画像を消去する際に、密着した第一密着面と第二密着面とを引き剥がす際の、第一密着面と第二密着面の界面との接触面積が小さくなる形状としてもよい。
たとえば、消去体の先端（密着した第一密着面と第二密着面の界面に進入していく部分）を、弧状や、鋸歯状などに形成することにより、第一密着面と第二密着面の界面との接触面積が小さくなるので、消去体の先端が一直線状である場合と比較して、消去体の移動が滑らかになり、消去体の動作が軽く画像の消去がスムーズな筆記シートとなる。
また、筆記シートに多くの画像を記録することによって、第一密着面と第二密着面とが密着している面積が大きくなり、基材からのカバーシートの引き剥がし粘着力が大きくなる場合において、消去体の形状を、密着した第一密着面と第二密着面とを引き剥がす際の、第一密着面と第二密着面の界面との接触面積が小さくなる形状にすることによる効果は顕著である。
【００２８】
本発明の消去体は、基材に設けられた第一密着面とカバーシートに設けられた第二密着面との間に、密着した第一密着面と第二密着面とを引き剥がすように移動可能に配置された際に、第一密着面および／または第二密着面との接触面積が小さくなる形状としてもよい。
たとえば、消去体の表面および／または裏面を略半球状に膨出させたり、消去体の表面および／または裏面に複数の突起および／または突条を設けることなどにより、消去体と第一密着面および／または第二密着面との摩擦抵抗が小さくなるので、消去体の表面および／または裏面が平面である場合と比較して、消去体の移動が滑らかになり、消去体の動作が軽く画像の消去がスムーズな筆記シートとなる。
また、筆記シートに多くの画像を記録することによって、第一密着面と第二密着面とが密着している面積が大きくなり、基材からのカバーシートの引き剥がし粘着力が大きくなる場合において、消去体の形状を、第一密着面および／または第二密着面との接触面積が小さくなる形状にすることによる効果は顕著である。
【００２９】
本発明の消去体は、密着した第一密着面と第二密着面とを引き剥がす際に、移動しながら回転してもよい。
たとえば、消去体に横断面視略円形の回転部を設け、その回転部の少なくとも一部を基材に設けられた第一密着面および／またはカバーシートに設けられた第二密着面に当接させることにより、筆記シートに記録された画像を消去するために消去体を移動させる際に、第一密着面および／または第二密着面との摩擦により回転部が抵抗を受けて、回転部が消去体の移動方向に回転するため、消去体の移動が滑らかになり、消去体の動作が軽く画像の消去がスムーズな筆記シートとなる。
また、筆記シートに多くの画像を記録することによって、基材とカバーシートとが密着している面積が大きくなり、基材からのカバーシートの引き剥がし粘着力が大きくなる場合において、消去体が回転することによる効果は顕著である。
また、筆記シートを繰り返し使用することによって第一密着面および／または第二密着面の粘着力が低下すると、画像の記録安定性が低下するおそれがあるが、消去体が回転すると、筆記シートに記録された画像を消去する際に消去体が第一密着面および／または第二密着面の表面を摺動することがないので、擦過による第一密着面および／または第二密着面の粘着力低下とそれに伴う画像の記録安定性低下を防止でき、耐久性にすぐれた筆記シートとなる。
また、消去体の回転部は、少なくとも一部を第一密着面および／または第二密着面に当接した状態で消去体の移動方向に回転可能であれば、その横断面は円形以外の形状でもよく、たとえば楕円形状や、多角形状や、歯車形状など、様々な形状を適宜選択することができる。
回転部の横断面を円形に形成した場合には、消去体を移動して筆記シートに記録された画像を消去する際に、回転部が第一密着面および／または第二密着面に常に線接触することにより、回転部の回転の抵抗が一定となり、消去体の移動がスムーズとなるので、より好ましい。
【００３０】
また、本発明の筆記シートは、その材質と構造を適宜選択することにより、大気中のみならず、水中での使用も可能である。
従来の筆記シートでは、水中で使用すると、基材とカバーシートとの間に水が浸入して両者の密着を阻害することや、水が基材のカバーシートに対向する面および／またはカバーシートの基材に対向する面の粘着性を低下させて両者の密着を阻害することなどにより、画像の記録性や画像の記録安定性が低下するおそれがあった。
しかしながら、本発明の筆記シートは、基材とカバーシートに耐水性を有する材質を選択すると共に、第一密着面と第二密着面との間を直接または他の部材によって閉塞した閉塞部を密閉空間とすることにより、筆記シートを水中に浸漬した場合においても、第一密着面と第二密着面との間に水が浸入することがないので、第一密着面と第二密着面との密着が阻害されるおそれや、水が第一密着面および／または第二密着面の粘着性を低下させるおそれがなく、水中での画像の記録性や画像の記録安定性に優れた筆記シートとなる。
【００３１】
［基材］
本発明に用いられる基材には、第一密着面が設けられる。基材は、画像記録時にカバーシートと密着する必要があるので、カバーシートに設けられた第二密着面が非粘着性の場合には、基材の第一密着面は粘着性であることが好ましい。第一密着面を粘着性とするためには、基材そのものを軟質塩化ビニルなどの表面が粘着性を有する軟質樹脂で形成し、その表面を第一密着面としてもよく、樹脂などで支持体を形成し、支持体のカバーシートに対向する面に粘着層を設けて基材とし、粘着層の表面を第一密着面としてもよい。
【００３２】
支持体に粘着層を設ける場合には、粘着層は支持体の少なくとも一方の面に形成される。支持体の両側面にそれぞれ粘着層を設けて、それぞれの面に対向する２枚のカバーシートを組み合わせれば、両側に記録可能な筆記シートとすることもできる。
【００３３】
ここで支持体は特に限定されないが、画像記録時に筆記シートの表面から観察される画像のコントラストを高く保つために、着色されていることが好ましい。また、筆記シートに物理的に十分な強度を付与するために、支持体には強度も要求される。
【００３４】
このような観点から、図１に示すように、ひとつの実施形態において、コアプレートと着色層とを具備する着色支持体を用いることができる。物理的に十分な強度を有するコアプレートを用いることで、コストや色彩に応じて種々の着色層を選択することが可能となる。このとき、コアプレートは十分な物理的強度を有するものが好ましく、従来知られている任意の材料から選択することができる。たとえば、ポリオレフィン樹脂やポリエステル樹脂から選択することができ、より具体的には、（ｉ）ポリオレフィン樹脂としては、ポリエチレン（ＰＥ）樹脂、ポリプロピレン（ＰＰ）樹脂、エチレン−プロピレン共重合体、エチレン−ブテン共重合体などから、（ｉｉ）ポリエステル系樹脂としては、ポリエチレンテレフタレート（ＰＥＴ）樹脂、ポリブチレンテレフタレート（ＰＢＴ）樹脂、ポリエチレンナフタレート樹脂、ポリブチレンナフタレート樹脂などから選択することができる。これらのうち、ポリエステル系樹脂が好ましく、強度や加工性の点からＰＥＴ樹脂が特に好ましい。
【００３５】
これらコアプレートの表面には、コロナ放電処理、プラズマ処理、紫外線照射処理、酸処理、アルカリ処理、下塗り剤の塗布（下塗り層の形成）等の、従来公知の表面処理が施されていてもよい。
【００３６】
コアプレートの厚さは、特に限定されないが、物理的に十分な強度を達成するために、厚さが５０〜２５０μｍであることが好ましい。
これらのコアプレートは、無色透明であっても、有色透明であっても、また不透明であってもよい。コアプレートが無色透明である場合には、着色層と積層されていることが好ましい。いずれの場合においても、着色支持体は、全体として不透明であることが好ましい。なお、本発明において不透明であるとは、４００〜７６０ｎｍの波長領域全体にわたって、透過率が８０％未満、好ましくは６０％未満であることをいう。一方で無色透明であるとは、その波長領域の全領域に渡って、透過率が８０％以上、好ましくは９０％以上であることをいう。さらに有色透明とは、その波長領域の一部に透過率が８０％未満の領域があることをいう。
【００３７】
着色されたシート状材料としては、たとえば着色された紙、染色された樹脂フィルム、着色粒子が分散された樹脂材料からなるフィルム、着色された繊維集合体などが挙げられる 。着色層を塗布により形成させる場合には、着色された粒子が分散されたバインダーを含む組成物を塗布し、さらに乾燥または硬化させて、着色層を形成させることができる。着色された粒子とは、無機顔料粒子、金属粉、金属酸化物粉などが挙げられる。
【００３８】
なお、着色支持体として、金属板または着色層として金属層を具備する着色支持体を用いることもできる。このような金属様表面を着色支持体に用いた場合には、特殊な効果を得ることができる。この場合には、筆記により得られる画像のコントラストは比較的低い。ところが、その記録画像を複写機により複写すると、コントラストの高い画像が複写される。このような効果を利用することで、すかし絵の効果を得ることができる。
【００３９】
着色支持体のカバーシート側表面は平滑性が高いことが好ましい。その面の上には、後述するように粘着層が設けられるが、最終的にこの粘着層の表面の平滑性が高いことが好ましいので、その下地となる着色支持体のカバーシート側表面も平滑性が高いことが好ましい。
このような観点から、着色支持体のカバーシート側表面は、樹脂製のコアプレートであることが好ましい。したがって、着色支持体がコアプレートと着色層とが積層された構造を有する場合には、図１に示すように、着色層はカバーシートが対向する面とは反対側の面に形成されることが好ましい。
【００４０】
基材の表面に粘着層を形成するのに先だって、基材と粘着層との接着性を改善するために、中間層を設けることができる。筆記シートは、使用に際して、粘着層とカバーシートとの密着と剥離を繰り返すため、粘着層が基材表面から剥離することがあるが、中間層を設けることでこのような問題を改善することができ、また筆記シートの保存安定性を改良することもできる。
【００４１】
中間層に用いる材料としては、ポリエステル樹脂、アクリル樹脂、ポリウレタン樹脂、アクリルグラフトポリエステル樹脂、シリコーン樹脂などの各種樹脂が挙げられる。この中間層は、たとえばポリエステル樹脂によって形成することができる。中間層の厚さは、厚くすることによって基板と粘着層との接着性を改良でき、薄くすることで画像記録時に着色支持体の色彩が再現されやすくなる。このような観点から、中間層の厚さは０．０５〜１．０μｍであることが好ましい。
【００４２】
本発明に用いられる基材において、着色支持体の表面に直接、または表面の上に中間層を介して、粘着層を形成することができる。
粘着層は、画像記録時にカバーシートと密着することによって、画像が記録される。したがって、画像の記録安定性の観点からは、粘着力が高いことが好ましいが、過度に高いと、消去時にカバーシートの剥離が困難になったり、剥離の際に不快な音を発生したり、粘着層またはカバーシートを損傷する可能性がある。さらには、筆記シートを放置している状態にもかかわらず、カバーシートと粘着層とが密着してしまい、意図しない画像が記録されることもある。このため、粘着層の粘着力は、１．０〜５．０Ｎ／ｍであることが好ましく、１．５〜４．０Ｎ／ｍであることがより好ましい。ここで粘着力は、ＪＩＳ−Ｚ０２３７方法１に示された、試験板に対する１８０°引き剥がし粘着力測定に従って測定することができる。
【００４３】
このような粘着層は、一般的には、粘着剤組成物に、必要に応じて触媒などを混合してから、着色支持体またはコアプレートに、必要に応じて中間層を介して塗布し、加熱などを行って反応させることによって形成させる。
【００４４】
粘着層の材料として、従来知られている粘着剤から任意のものを選択することができる。
【００４５】
このような粘着剤としては、アクリル系粘着剤、ゴム系粘着剤、ポリエステル系粘着剤 、ウレタン系粘着剤、ポリエーテル系粘着剤、シリコーン系粘着剤、ポリアミド系粘着剤 、フッ素系粘着剤等の各種粘着剤が挙げられる。
【００４６】
これらのうち、シリコーン系粘着剤は、主骨格がシロキサン結合を主体したポリマーを主成分とするものである。シリコーン系粘着剤は、適当な粘着性を示すものが多く、また耐薬品性、耐水性、耐熱性に優れているので好ましい。さらに、シリコーン系粘着剤は、圧力による粘着力変化が小さいことも好ましい理由である。また、ウレタン系粘着剤は、イソシアネート化合物とヒドロキシ化合物を縮合させたポリマーを主成分とするものである。剥離性にすぐれているので好ましい粘着剤であるが、粘着力がシリコーン系粘着剤よりも高いことが多く、粘着性の調整が必要な場合がある。また、ウレタン系粘着剤を用いると、画像記録時に加える圧力に依存して、カバーシートと粘着層との粘着力が変わる傾向にある。このため、カバーシートの剥離に要する力の均一性や、記録される画像のコントラストの均一性が重視される場合には、シリコーン系粘着剤を用いることが好ましい。
【００４７】
このような方法に用いられる粘着剤は、種々のものが市販されており、それらから好適なものを選択して使用することができる。具体的には、シリコーン系粘着剤としては、ＬＴＣ７５５、ＳＤ４５８０ＰＳＡなど（いずれも商品名、東レ・ダウコーニング株式会社より販売）、ＫＲ３７００、ＫＲ３７０１、ＫＲ３７０４（いずれも商品名、信越化学工業株式会社より販売）が挙げられ、これに組み合わせる触媒としては、ＮＣ−２５  Ｃａｔａｌｙｓｔ（商品名、東レ・ダウコーニング株式会社より販売）、ＣＡＴ−ＰＬ−５０Ｔ（商品名、信越化学工業株式会社より販売）が挙げられる。また、ウレタン系粘着剤としては、サイアバインシリーズＳＨ−１０１Ｍ、ＳＨ−１０１、ＳＰ−２０５（いずれも商品名、トーヨーケム株式会社より販売）が挙げられ、それに組み合わせる触媒としてはサイアバイン  Ｔ５０１Ｂ（多官能イソシアネート系架橋剤）（商品名、トーヨーケム株式会社より販売）が挙げられる。
【００４８】
シリコーン系粘着剤に組み合わせる触媒は、架橋密度を調整することができるので白金を含む貴金属触媒が好ましく、特に白金−ルテニウム合金、白金−パラジウム合金、白金−チタニウム合金等が好適に用いられる。
【００４９】
粘着剤組成物を塗布する方法は特に限定されず、たとえば、グラビアロールコーター、ダイコーター、バーコーター等の、従来公知のコーターを用いて行うことができる。あるいは、含浸やカーテンコート法等により粘着剤組成物を塗布してもよい。
【００５０】
塗布後、架橋反応を促進させ、製造効率を向上させるために、加熱を行うことが好ましい。加熱温度は、一般的には４０〜１５０℃、好ましくは６０〜１３０℃の範囲から選択される。
【００５１】
粘着層の厚さは、厚いほうがカバーシートと密着しやすく、薄いほうが画像記録時に着色支持体の色彩が再現されやすく、また生産コストが低くなる。このため、粘着層の厚さは、５〜３０μｍであることが好ましく、１０〜２０μｍであることがより好ましい。
【００５２】
以上、基材が着色支持体を具備する場合について説明したが、基材は、それを構成するいずれの層が着色されていてもよい。たとえば、コアプレートが着色されていても、粘着層が着色されていてもよい。
粘着層が着色された構成を採用することによって、別途着色層を設ける必要がなく、構成を簡単にし、製造コストを低減することができる。
粘着層に着色をするためには、粘着層を塗設する前に、粘着剤組成物に顔料や染料を混合しておく方法、粘着層を形成後に粘着層表面に顔料または染料を接触させて染色する方法が挙げられる。染料または顔料がしみ出しにくく、筆記シートの利用にあたってカバーシートへの色移りが少ないので、前者が好ましい。
粘着層に着色するのに用いられる染料または顔料は特に限定されず、従来知られている任意のものから選択することができる。具体的には、染料としては、フタロシアニン系染料、ピラゾロン系染料、ニグロシン系染料、アントラキノン系染料、アゾ系染料、顔料としては、無機顔料としてカーボンブラック、黒色酸化鉄、ウルトラマリン、黄色酸化鉄、赤色酸化鉄、複合酸化物系顔料などが、また有機顔料としてはアゾ系顔料、インジゴ系顔料、フタロシアニン系顔料、キナクリドン系顔料、チオインジゴ系顔料、スレン系顔料、ペリノン系顔料、ペリレン系顔料、フタロン系顔料、ジオキサン系顔料、イソインドリノン系顔料、金属錯体系顔料、メチン・アゾメチン系顔料、ジケトピロロピロール系顔料などが挙げられる。
【００５３】
［カバーシート］
本発明に用いられるカバーシートには、第二密着面が設けられる。カバーシートは、画像記録時に基材と密着する必要があるので、基材に設けられた第一密着面が非粘着性の場合には、カバーシートの第二密着面は粘着性であることが好ましい。第二密着面を粘着性とするためには、カバーシートそのものを軟質塩化ビニルなどの表面が粘着性を有する軟質樹脂で形成し、その表面を第二密着面としてもよく、カバーシートの基材に対向する面に粘着層を設けて、粘着層の表面を第二密着面としてもよい。
【００５４】
本発明に用いられるカバーシートは、基材と密着した際に、基材の色彩が筆記シートの表面から観察できる必要がある。このため、カバーシートは透明である必要がある。一般的にはカバーシートは無色透明であることが好ましい。カバーシートが４００〜７６０ｎｍの波長範囲全体にわたって高い透過率を有することにより、基材に施された着色に忠実な画像記録が可能となる。ただし、カバーシートに着色することも可能である。４００〜７６０ｎｍの波長範囲の一部に透過性があるカバーフィルムを用いれば、基材に施された色彩と異なった色彩で画像を記録することが可能となる。
【００５５】
このようなカバーシートは、一般的には透明なフィルムを具備してなる。カバーシートには透明性だけでなく、物理的強度も要求されるため、前記した着色支持体において例示した材料からなるフィルムが好ましく用いられる。
【００５６】
本発明において、基材に設けられた第一密着面が粘着性の場合には、カバーシートに設けられた第二密着面をマット面とすることが好ましい。このマット面の表面形状によって、筆記シートの特性が大きく変動する。
【００５７】
本発明による筆記シートにおいて、マット面の算術平均高さＳａが大きいとマット調表現が容易となり、また筆記シートを放置しても、カバーシートと粘着層とが密着してしまうことが少なく、算術平均高さＳａが小さいとコントラストの高い画像が形成できる傾向にある。このような観点から、本発明において、マット面の算術平均高さＳａは０．１０〜０．５０μｍであり、０．１５〜０．３０μｍであることが好ましい。
【００５８】
なお、算術平均高さＳａは三次元粗さ計によって測定することができる。具体的には、これらの測定にはレーザー顕微鏡  ＬＥＸＴ−ＯＬＳ４１００（商品名、オリンパス株式会社製を用いることができる。
【００５９】
さらにマット面に存在する凹凸は、画像記録をする前の状態で、粘着層とカバーシートが密着することを防ぎ、また画像記録の際には粘着層とカバーシートとの間の密着性を適切に維持し、さらに画像消去の際には容易に剥離が可能となる。このようなマット面とするためには、ヘーズ値が７０〜９５％であることが好ましい。ヘーズ値はヘーズメーター  ＴＣ−ＨＩＩＩ（商品名  有限会社東京電色社製）により測定することができる。
【００６０】
カバーシートの表面にマット面を形成する方法は特に限定されないが、カバーシートの主たる構造物であるフィルムの表面を直接的に食刻する方法、凹凸を有するフィルムと積層する方法、微粒子が分散された樹脂組成物をフィルム表面に塗布し、乾燥または硬化させて凹凸のある面を形成させる方法、加熱などにより気泡を生じる化合物を含む組成物をフィルム表面に塗布し、加熱などによって組成物層の中に気泡を生じさせて表面に凹凸を形成させる方法などが挙げられる。また、カバーフィルムとして、微粒子が分散された樹脂組成物をフィルム状に成形することによっても、表面にマット面が形成されたカバーシートを得ることができる。
【００６１】
これらのうち、マット面の粗さの制御が容易であることから、微粒子を分散させた樹脂組成物を用いることが好ましい。特に、シリカなどの透明性の高い微粒子が分散された樹脂組成物をフィルムの表面に塗布し、加熱して樹脂を硬化させる方法が、品質の安定性やカバーフィルムの特性の面から好ましく採用される。微粒子は、有機材料であっても無機材料であってもよい。微粒子に用いる有機材料としては、ポリメチルメタクリレート等のアクリル系樹脂、ポリスチレン、スチレン−アクリル樹脂、ポリカーボネート樹脂、ウレタン樹脂、エポキシ樹脂、ポリエステル樹脂、ポリエステルウレタン樹脂などが挙げられる。また、微粒子に用いる無機材料としては、たとえば、二酸化ケイ素（シリカ）、二酸化チタン、硫酸バリウム、炭酸カルシウム、タルク、マイカ、金属フレーク、金属酸化物フレークなどが挙げられる。これらのうち、特にマイカ、金属フレークまたは金属酸化物フレークを用いると、画像記録時に生じる色がメタリック色となり、美麗な画像が記録されるという特徴がある。なお、この場合には、着色層を濃度の高い色、典型的には黒色とすることで、コントラストが大きくなり、メタリック色がより美麗に観察されるので好ましい。
【００６２】
これらの微粒子の平均粒子径は０．０５〜５．０μｍであることが好ましい。ここで、平均粒子径は、レーザー回折法（原理）により、体積基準で測定したものであり、たとえばＭＩＣＲＯＴＲＡＣ９３２０−Ｘ１００（Ｈｏｎｅｙｗｅｌｌ社製）により測定することができる。
【００６３】
また、組成物のバインダーとして用いられる樹脂としては、塩化ビニル酢酸ビニル共重合樹脂、エポキシ樹脂、アクリル樹脂、ポリエステル樹脂、ウレタン樹脂、メラミン樹脂などが挙げられる。これらの中でも、アクリルメラミン樹脂、ポリエステルメラミン樹脂 、アクリルウレタン樹脂などは物理的強度および光学特性の面で優れていると考えられ、好ましく用いられる。
【００６４】
さらにこれらを溶解または分散させる溶媒としては、トルエンやメチルエチルケトンなどが挙げられる。
図１には、いずれかの方法によってフィルムの表面に、マット面を有するマットコート層が積層された構造が図示されている。
【００６５】
また、フィルム表面を直接的に食刻する方法には、物理的方法と化学的方法とがある。このうち物理的方法は、比較的工程が単純であり、より細かい凹凸を形成させることができるので好ましい。物理的にフィルム表面を食刻する方法としては、サンドブラスト法や、スクラッチ法が挙げられる。
【００６６】
本発明において、カバーシートのマット面の硬度は、高いことが好ましい。具体的には、鉛筆硬度（ＪＩＳ  Ｋ  ５６００−５−４）がＦ以上であることが好ましく、Ｈ以上であることがより好ましい。本発明者らの検討によれば、筆記シートにおいて、画像を記録した後に消去した場合、カバーシートに画像の痕跡が残ることがあった。この結果、その後に形成される記録画像のコントラスト低下が起きてしまう。ところが、本願発明において、マット面の硬度を適当に設定することによって、そのような問題が改善され、このようなコントラスト低下が抑制される。さらには、カバーシートと粘着層との粘着性が適切となって、画像記録および消去を容易にすることもできる。
【００６７】
カバーシートのマット面を形成した面と反対側の面は、画像記録の際に圧力および応力を受ける。スタンプなどにより加圧する場合には、筆記シートの表面に対して垂直方向の力が印加される。一方、たとえばペンなどによって画像を記録する場合、カバーシートと粘着面とを密着させるために、垂直方向の力が印加されるが、それと同時に、カバーシートの表面とペン先との間に摩擦力が発生する。この結果、カバーシート表面が損傷し、記録される画像のコントラストが低下するおそれがある。このような問題を防止するために、本発明に用いられるカバーシートは、マット面を形成した面と反対側の面に、表面保護層を具備することが好ましい。
【００６８】
このような表面保護層は、カバーシートを構成するフィルムの表面に、表面保護フィルムを積層したり、樹脂材料を含む組成物を塗布して硬化させることなどにより形成させることができる。特に、表面保護フィルムは種々のものが市販されているので、その中から目的に応じたものを用いることが便利である。このような保護フィルムとしては、高い硬度によって表面を保護するもの、表面の摩擦力を低くしてひっかき傷の発生を防止するもの、適当な弾性を有し、物理的衝撃を緩和したり、物理的に一度は損傷を受けながら、自己修復するものなどが挙げられる。高い硬度を有する表面保護フィルムは、たとえば硬質プラスチックからなるフィルムであり、具体的な硬度が、鉛筆硬度でＨＢ以上であることが好ましい。また、摩擦力の低いフィルムとしては、たとえば表面が平滑な高分子量ポリエチレンからなるフィルムが挙げられ、具体的には、その表面の摩擦係数が０．１５以下であることが好ましい。また、物理的衝撃を緩和する、または自己修復するフィルムは、柔軟な構造を有する、シリコーン樹脂などの高分子材料からなるフィルムである。本発明において保護フィルムはこれらのいくつかの特性を兼ね備えた表面保護フィルムを用いることが好ましい。このようなフィルムは、たとえばタフトップ自己修復コートフィルムＳＲ−ＴＥＢＦ（商品名、東レフィルム加工株式会社製）、トークロＨＣフィルムハードコート品  ＨＣ１０００（東洋クロス株式会社製）など、各種のものが市販されている。
【００６９】
カバーシートの厚さは、高い透明性を達成し、かつ画像記録の際の圧力をカバーシートと粘着層との界面に伝達するためには薄いことが好ましく、物理的強度を高くするためには厚いことが好ましい。このような観点から、カバーシートを構成する主たるフィルムの厚さは３８〜１００μｍであることが好ましく、５０〜７５μｍであることがより好ましい。また、マットコート層を設ける場合、目的とする表面粗さを得るにはマットコート層を厚くすることが好ましく、カバーシートの透明性を維持するためにはマットコート層が薄いことが好ましい。このような観点から、マットコート層の厚さは２〜２０μｍであることが好ましく、５〜１０μｍであることがより好ましい。また、表面保護層を設ける場合、表面保護層の厚さは０〜１００μｍであることが好ましく、２５〜５０μｍであることがより好ましい。
【発明の効果】
【００７０】
本発明では、画像の記録と消去とを繰り返し行っても、基材とカバーシートとの間にゴミやほこりが付着することがなく、画像の記録性や画像の記録安定性に優れた筆記シートを得ることができた。
【図面の簡単な説明】
【００７１】
【図１】本発明の第１の実施の形態の筆記シートで、画像を記録する前の初期状態を示す断面図である。
【図２】図１の筆記シートに画像を記録した状態を示す断面図である。
【図３】図２の状態から、消去体を移動して画像を消去した状態を示す断面図である。
【図４】本発明の第２の実施の形態の筆記シートの断面図である。
【図５】本発明の第３の実施の形態の筆記シートの断面図である。
【発明を実施するための形態】
【００７２】
以下に、図面を参照して本実施の形態の筆記シートを詳細に説明する。
なお、図面の説明においては、図面における上方、すなわちカバーシートにおけるマット面と反対側を上と表現し、図面における下方、すなわち基材における粘着層と反対側を下と表現する。
【００７３】
［実施例１］
まず、図１を用いて、本発明の第１の実施の形態の筆記シート１００について詳細に説明する。
厚さ５０μｍのポリエステル製フィルム（コアプレート）に、シリコーン系粘着剤（ＬＴＣ  ７５５  Ｃｏａｔｉｎｇ（商品名）、東レ・ダウコーニング株式会社）９０部、シリコーン系粘着剤（ＳＤ  ４５８０  ＰＳＡ（商品名）、東レ・ダウコーニング株式会社）１０部、白金触媒（ＮＣ−２５（商品名）、東レ・ダウコーニング株式会社）０．７部をトルエンに溶解させ、その溶液を十分に攪拌後、アプリケーターにて塗工し、１２０℃で２分間硬化して、厚みが１５μｍの透明な粘着層１１３をフィルム表面に形成させた。さらに、前記粘着層１１３の反対側面に黒色紙を積層して、基材１１０を得た。
【００７４】
また、厚さ５０μｍのポリエステル製フィルムの裏面に、ポリエステルメラミン樹脂とシリカ微粒子を含むコーティング液をコーティングし、表面にマット面を形成したカバーシート１２０を得た。このシートのマット面１２１の算術平均高さＳａは０．１５μｍ、ヘーズ値は７２．８、鉛筆硬度はＨであった。
【００７５】
また、厚さが０．５ｍｍの鉄板を、直径２０ｍｍの碁石形状に形成し、消去体１３０を得た。
【００７６】
次に、基材１１０に設けられた粘着層１１３の表面と、カバーシート１２０に設けられたマット面１２１とが対向するように基材１１０とカバーシート１２０とを配置し、粘着層１１３の表面とマット面１２１の表面との間に消去体１３０を移動可能に配置し、基材１１０の外周部とカバーシート１２０の外周部とを溶着部１４０で溶着して、閉塞部１５０を有する筆記シート１００を作成した。
【００７７】
次に、図２および図３を用いて、本発明の第１の実施の形態の筆記シート１００に画像を記録する状態と、消去体を移動して画像を消去する状態について詳細に説明する。
砲弾型の繊維加工ペン体で形成した筆記先端１６０を用いて、カバーシート１２０の上部から筆記面１２４の所望の部分に加圧したところ、加圧された部分の直下で粘着層１１３の表面とマット面１２１とが密着し、粘着層１１３の表面とマット面１２１との界面に存在していた空気層が実質的になくなり、界面の屈折率が変化した。
この結果、未加圧部分の界面と、加圧部分の界面とで屈折率が変わり、コントラストが生じて、画像が記録された。
次いで、フェライト磁石で形成した消去体操作部材１７０を、筆記面１２４の上部で、あたかも前記画像の所望の部分を消去するように動かしたところ、磁力により引き寄せられた消去体１３０が密着した粘着層１１３の表面とマット面１２１とを引き剥がしながら移動し、粘着層１１３の表面とマット面１２１との界面に再び空気層が生じて、部分的に画像が消去された。
【００７８】
前記した、筆記先端１６０を用いた画像の記録と、消去体操作部材１７０を用いた画像の消去とを繰り返し行ったところ、基材１１０の外周部とカバーシート１２０の外周部とが溶着部１４０で溶着されて閉塞部１５０を形成しているために、基材１１０とカバーシート１２０との間にゴミやほこりが付着することがなく、画像の記録性や画像の記録安定性に優れた筆記シートとなった。
【００７９】
［実施例２］
次に、図４を用いて、本発明の第２の実施の形態の筆記シート３００について詳細に説明する。
実施例１と同様に、基材１１０、カバーシート１２０および消去体１３０を作成し、さらに、基材１１０に設けられた粘着層１１３の表面と、カバーシート１２０に設けられたマット面１２１とが対向するように基材１１０とカバーシート１２０とを配置し、粘着層１１３の表面とマット面１２１の表面との間に消去体１３０を移動可能に配置した。
次いで、基材１１０およびカバーシート１２０よりも大きい外形を有する上側シート１８０と、当該上側シート１８０と略同外形状の下側シート１９０とを厚さ２ｍｍのＡＢＳ樹脂で形成し、上側シート１８０の中央に開口部１８１を設け、上側シート１８０の下面全体および下側シート１９０の上面全体に変成シリコーン樹脂系弾性粘着剤（セメダインＢＢＸ（商品名）、セメダイン株式会社）で粘着部２００を設け、カバーシート１２０の上面外周部と上側シート１８０の下面とを粘着部２００で粘着すると共に開口部１８１からカバーシート１２０の表面を露出させて筆記面１２４とし、基剤１１０の下面と下側シート１９０の上面とを粘着部２００で粘着し、下側シート１９０の上面外周部と上側シート１８０の下面外周部とを粘着部２００で粘着して、閉塞部１５０を有する筆記シート３００を作成した。
【００８０】
筆記シート３００について、実施例１と同様に、筆記先端１６０を用いた画像の記録と、消去体操作部材１７０を用いた画像の消去とを繰り返し行ったところ、下側シート１９０の上面外周部と上側シート１８０の下面外周部とが粘着部２００で粘着されて閉塞部１５０を形成しているために、基材１１０とカバーシート１２０との間にゴミやほこりが付着することがなく、画像の記録性や画像の記録安定性に優れた筆記シートとなった。
また、当初の上側シート１８０および／または下側シート１９０を、使用者自身が他の上側シートおよび／または下側シートに交換することができ、意匠性に優れた筆記シートとなった。
【００８１】
［実施例３］
次に、図５を用いて、本発明の第３の実施の形態の筆記シート３００について詳細に説明する。
実施例１および実施例２と同様に、基材１１０、カバーシート１２０および消去体１３０を作成し、さらに、基材１１０に設けられた粘着層１１３の表面と、カバーシート１２０に設けられたマット面１２１とが対向するように基材１１０とカバーシート１２０とを配置し、粘着層１１３の表面とマット面１２１の表面との間に消去体１３０を移動可能に配置した。
次いで、これら基材１１０とカバーシート１２０と消去体１３０とを、厚さ１００μｍのポリエチレン製フィルムで形成した袋状体２１０の内部に入れ、袋状体２１０の口部２２０に設けた、突状の嵌合雄部および当該嵌合雄部に着脱可能に嵌合する嵌合雌部とからなる嵌合部２３０を嵌合して口部２２０を閉じることにより、閉塞部１５０を有する筆記シート４００を作成した。
【００８２】
筆記シート４００について、実施例１および実施例２と同様に、筆記先端１６０を用いた画像の記録と、消去体操作部材１７０を用いた画像の消去とを繰り返し行ったところ、袋状体２１０の口部２２０が嵌合部２３０で閉じられて閉塞部１５０を形成しているために、基材１１０とカバーシート１２０との間にゴミやほこりが付着することがなく、画像の記録性や画像の記録安定性に優れた筆記シートとなった。
また、当初の袋状体２１０を、使用者自身が他の袋状体２１０に交換することができ、意匠性に優れ、かつ耐久性に優れた筆記シートとなった。
【００８３】
［評価］
経時保存性
筆記シートを組み立てた後、静置して、状態変化を目視により評価した。
Ａ：  粘着層とマット層の貼り付きがなく良好。
Ｂ：  粘着層とマット層が時間とともに貼り付く。
Ｃ：  粘着層とマット層が貼り付いてしまう。
【００８４】
筆記性能
砲弾型の繊維加工ペン体で形成した筆記先端によって筆記した時の記録画像を目視で評価した。
Ａ：  良好な記録画像が得られる。
Ｂ：  記録画像が得られるがコントラストが低い。
Ｃ：  筆記しても記録画像が残らないか、筆記直後に自然に消滅した。
【００８５】
消去性能
画像の記録後に、消去体操作部材を、カバーシートの上部から前記画像の所望の部分（筆記面の表面）で動かして、磁力により引き寄せられた消去体を筆記シートの基材とカバーシートとの間で移動し、粘着層とマット層とを剥離して、記録画像を消去した時の引き剥がし性を評価した。
Ａ：  軽度な力で容易に、かつきれいに記録画像が消去できる。
Ｂ：  大きな引き剥がし力がないと画像が消去できない。または、大きな剥離音がする。
Ｃ：  消去時にカバーシートまたは粘着層が損傷する。
【００８６】
記録性能
画像を記録後、１日経過後の記録画像を目視評価した。
Ａ：  記録画像の変化が認められない。
Ｂ：  記録直後に比較して画像が不鮮明になった。
Ｃ：  記録画像が視認できない（画像が消失していた）。
【００８７】
【表１】
2020104350.tif 000003
【符号の説明】
【００８８】
１００  第１の実施の形態の筆記シート
１１０  基材
１１１  着色支持体
１１１ａ  着色層
１１１ｂ  コアプレート
１１２  中間層
１１３  粘着層
１２０  カバーシート
１２１  マット面
１２１ａ  マットコート層
１２２  フィルム基材
１２３  表面保護層
１２４  筆記面
１３０  消去体
１４０  溶着部
１５０  閉塞部
１６０  筆記先端
１７０  消去体操作部材
１８０  上側シート
１８１  開口部
１９０  下側シート
２００  粘着部
２１０  袋状体
２２０  口部
２３０  嵌合部
３００  第２の実施の形態の筆記シート
４００  第３の実施の形態の筆記シート
【図１】
2020104350.tif 000004
【図２】
2020104350.tif 000005
【図３】
2020104350.tif 000006
【図４】
2020104350.tif 000007
【図５】
2020104350.tif 000008